(57)【要約】【課題】  熟練の度合いに関わらず、簡単な動作で充分な押圧力を一定の角度で安定的に加えることができる骨盤矯正装置を提供する。【解決手段】  矯正対象者Ｍが横になるための寝台１上に、矯正対象者Ｍの骨盤を左右それぞれ異なる２カ所から押すように、一定の傾斜角で骨盤方向へ移動可能に押棒を設ける。この押棒は、先端部に矯正対象者に当接し、骨盤部に押圧力を伝える押圧部を有しており、更に該押棒には移動動作を付勢する付勢手段が備えられている。【選択図】図１
2005185730.tif 000002
【特許請求の範囲】
【請求項１】
矯正対象者が横になるための寝台と、
該寝台の両側から一定の傾斜角をもって寝台上の矯正対象者の骨盤方向へ移動可能に設けられ、先端部に矯正対象者に当接せしめられその骨盤部に押圧力を伝える押圧部を有し、矯正対象者の骨盤の左右をそれぞれ２カ所から押すように前記寝台の両側に２個ずつ配置された押棒と、
該押棒の前記移動動作を付勢する付勢手段と、
を備えたことを特徴とする骨盤矯正装置。
【請求項２】
前記押棒の設置構造は、
横方向に貫通した上下方向に伸びるスリットの設けられた押棒取付支柱と、
内部で前記押棒の摺動移動が可能な管状体を有し、前記スリット内にて上下位置を調整可能に固定される押棒保持部と、
を備えることを特徴とする請求項１に記載の骨盤矯正装置。
【請求項３】
前記押棒の前記移動動作を付勢する付勢手段は、
前記寝台の両側に配置された対をなす押棒相互を引き寄せる方向に付勢するように押棒相互間に架け渡して取り付けられた伸縮性部材にて構成されたことを特徴とする請求項１又は２の何れかに記載の骨盤矯正装置。
【請求項４】
前記寝台の両側に２個ずつ配置された押棒は、
左右それぞれ上下位置をずらして配置され、
上側に配置された一対の押棒は、先端の押圧部が所定角度下方に向けて傾斜された状態で保持され、かつその傾斜角度を維持しつつ前記骨盤方向への移動動作を行い、
下側に配置された一対の押棒は、先端の押圧部が所定角度上方に向けて傾斜された状態で保持され、かつその傾斜角度を維持しつつ前記骨盤方向への移動動作を行うことを特徴とする請求項３に記載の骨盤矯正装置。
【発明の詳細な説明】
【技術分野】
【０００１】
本発明は、骨盤の状態の変化に起因して生じる種々の苦痛を伴う症状を予防あるいは治療さるための骨盤矯正装置に関するものである。
【背景技術】
【０００２】
二足歩行する人体の腰部には、上半身の荷重のすべてがかかる。このため、腰部を構成している脊柱の下端部にある仙骨と骨盤関節部分への荷重による影響も大きいものである。図８は、骨盤の仙骨と骨盤の概略構成を示しており、仙骨１００と骨盤２００との関節部分３００はそれぞれ「耳上面」と呼ばれる面が合わされて形成されている。すなわち、仙骨１００の耳状面と骨盤２００を構成する寛骨２００ａの後上部を占める腸骨２００ｂの耳状面によって仙骨１００と骨盤２００の関節部分が形成されている。
【０００３】
そして、様々な好ましくない方向からの骨盤に対する過度の負荷により、この耳状面の状態が変化し、痛みを伴う種々の症状が生じるものである。例えば、過度の負荷は、腰をひねったり、中腰で重い物を持ったりしたときなどに生じ、これにより耳状面の状態が適正な状態からずれ、骨盤に歪みを生じるものである。
【０００４】
そこで、従来より、仙骨および腸骨を、治療を行う者の指や腕の力によって略直角方向より締め付け、耳状面の緩みなどのズレを解消させ、仙骨および腸骨を堅固に結合させるという骨盤の矯正が行われている。
【発明の開示】
【発明が解決しようとする課題】
【０００５】
しかしながら、前記骨盤の矯正は、人の指や腕の力によって腰部を押圧し、骨盤を矯正しているので、充分な押圧力を一定の角度で安定的に加えることが難しく、熟練者であってもそれは困難である。また、これは、スポーツ選手のように頑強な筋肉を有する人や大柄な人に対しては、特に困難であるという事情がある。
【０００６】
本発明は、前記事情に鑑みてなされたものであり、その目的は、治療を行う者の熟練の度合いに関わらず、簡単な治療を施すことのできる骨盤矯正装置を提供することにある。
【課題を解決するための手段】
【０００７】
前記目的を達成するため、請求項１に係る骨盤矯正装置は、矯正対象者が横になるための寝台と、寝台の両側から一定の傾斜角をもって矯正対象者の骨盤方向へ移動可能に設けられ、先端部に骨盤部に押圧力を伝える押圧部を有し、骨盤の左右をそれぞれ２カ所から押すように寝台の両側に２個ずつ配置された押棒と、押棒の前記移動動作を付勢する付勢手段と、を備えたことを特徴とする。
【０００８】
この構成により、押棒の寝台両側から矯正対象者の骨盤方向への付勢された移動動作により、寝台に寝ている矯正対象者の骨盤部に安定した力によって押圧力を加えることができる。そして、この押圧力は、左右それぞれ２カ所から加えられるので、骨盤に対するバランスの良い押圧力の付加が可能となる。また、この押圧力は、付勢手段の付勢力に依存するので付勢手段を種々調整することによって、個々の矯正対象者に的確に対応した押圧力によって押棒による押圧動作を行うことができる。例えば、骨盤と仙骨との間に適切な応力状態を維持しつつ骨盤の矯正が可能になる。
【０００９】
請求項２に係る骨盤矯正装置は、請求項１に記載の骨盤矯正装置であって、押棒の設置構造は、横方向に貫通した上下方向に伸びるスリットの設けられた押棒取付支柱と、内部で押棒の摺動移動が可能な管状体を有し、スリット内にて上下位置を調整可能に固定される押棒保持部と、を備えることを特徴とする。
【００１０】
上記構成によれば、前記押棒が寝台の両側から一定の傾斜角をもって寝台に寝ている矯正対象者の骨盤の方向へ移動できるようにする構成を簡単な構造により達成することができる。
【００１１】
特に、押棒保持部はスリット内の移動により簡単に高さ位置の調整が可能であり、また、押棒は押棒保持部に設けられた管状体の中を摺動移動するので、常に的確な角度で、安定して骨盤部の押圧を行うことができる。
【００１２】
請求項３に係る骨盤矯正装置は、請求項１又は２の何れかに記載の骨盤矯正装置であって、押棒の移動動作を付勢する付勢手段は、寝台の両側に配置された対をなす押棒相互を引き寄せる方向に付勢するように押棒相互間に架け渡して取り付けられた伸縮性部材にて構成されたことを特徴とする。
【００１３】
この様な構成により、簡単な構造により押棒の骨盤方向への移動動作への付勢を行うことができる。用いられる伸縮性部材としては、ベルト状のゴムやバネなどであり、その付勢力については種々選択可能とすることが好適である。
【００１４】
請求項４に係る骨盤矯正装置は、請求項３に記載の骨盤矯正装置であって、寝台の両側に２個ずつ配置された押棒は、左右それぞれ上下位置をずらして配置され、上側に配置された一対の押棒は、先端の押圧部が所定角度下方に向けて傾斜された状態で保持され、かつその傾斜角度を維持しつつ骨盤方向への移動動作を行い、下側に配置された一対の押棒は、先端の押圧部が所定角度上方に向けて傾斜された状態で保持され、かつその傾斜角度を維持しつつ前記骨盤方向への移動動作を行うことを特徴とする。
【００１５】
矯正治療の際において、寝台上の矯正対象者は、仰向け又はうつ伏せの状態で横になるが、その状態での骨盤への左右側からの押圧は、上下に位置をずらした箇所から同時に行うのが好ましい。従って、寝台の両側に２個ずつ上下位置をずらして配置された押棒により、左右から傾斜された状態で押圧力を加えることでバランスの良い的確な矯正治療を行うことができる。
【発明の効果】
【００１６】
本発明の骨盤矯正装置によれば、骨盤の所望部位に左右２カ所から、一定の角度で安定的にバランスのよい押圧力を簡単に加えることができ、熟練を要することなく、骨盤の矯正を容易かつ確実に行うことができる。
【発明を実施するための最良の形態】
【００１７】
以下、本発明の実施の形態を図面に基づいて詳細に説明する。図１、２は、本発明に係る骨盤矯正装置の実施の形態を示したものであり、図１は、骨盤矯正装置が実際に使用されている状態の斜視図であり、図２は、図１の後面図を示している。
【００１８】
図１、２に示す骨盤矯正装置は、人体Ｍが横になる矩形状の寝台１を有しており、寝台１は、４つの支持脚２によって支持され、隣接する支持脚２間には補強部材３が架設されている。
【００１９】
寝台１上には押棒取付支柱４が左右両側に立設されている。押棒取付支柱４の立設は、寝台１の中間位置の左右両側に近い位置で、その間に人体Ｍが余裕を持って横たわることのできる位置に行われる。そして、これら押棒取付支柱４間には、上部補強部材５が水平に架け渡され、この上部補強部材５の両端は、ボルト１３によって一対の押棒取付支柱４の上端にそれぞれ固定されている。
【００２０】
押棒取付支柱４は中空構造を有し、この棒取付支柱４に押棒７が上下位置調整可能に装着されている。この押棒７は寝台１の左右両側に２個ずつ合計４本設置されており、押棒７の先端部は人体Ｍの骨盤方向に向けられて設置されている。
【００２１】
図３及び図４は、押棒７の押棒取付支柱４への取付け構造の一例を示している。押棒７の設置は、押棒保持部によって行われている。押棒保持部はブロック体１０とこれに貫通装着された管状部材２０を有している。管状部材２０は押棒７の移動通路を形成するものであり、その中を押棒７が摺動移動できるように構成されている。
【００２２】
押棒取付支柱４は略四角柱の外形状を有しており、図示のように中空構造とされている。対向側壁４ａ、４ｂには、上下方向に延びるスリット４ｃ、４ｄがそれぞれ形成されており、ブロック体１０がこの押棒取付支柱４内を上下移動できるようになっている。ブロック１０は、例えばアルミニウム等で形成される。
【００２３】
ブロック体１０の押棒取付支柱４への固定は、プレート１２とネジ１１によって行われる。すなわち、押棒取付支柱４のスリット４ｃを介してブロック１０に締結されることによって押棒取付支柱４に固定される。
【００２４】
押棒７は、ブロック体１０に貫通固定された管状体２０の部分に装着されるので、ブロック体１０のスリット高さ位置調整により押棒７の高さ位置も調整されるので、ブロック体１０のスリット高さ位置調整により押棒７の高さ位置も調整される。押棒７は、管状体２０と共にスリット４ｃ、４ｄを貫通しており、管状体２０の傾斜によって傾斜角（角度θ）が設定されている。
【００２５】
なお、図４に示したように押棒７の一端部には、人体Ｍに直接当接され、押棒７の押圧力を人体Ｍに伝達する押圧部材８が設けられている。押圧部材８の人体Ｍとの接触面は、略球面状に形成されており、人体Ｍの腰部を押圧したときの圧迫感を和らげるようにしている。
【００２６】
４本の押棒７は、それぞれ上側の一対の押棒７−１と下側の一対の押棒７−２とから成っている。上側の押棒７−１は先端部である押圧部材８側が所定角度下方に向くように傾斜して設置され、下側の押棒７−２は先端部である押圧部材８側が所定角度上方に向くように傾斜して設置されている。この傾斜角度は、寝台１上に寝る矯正対象者、すなわち人体Ｍの骨盤に対して４方向からバランス良く的確に押圧力を加えることができるように設定される。
【００２７】
なお、各押棒７を互いに引っ張る方向に付勢する手段として、ベルト状ゴム９−１、９−２がそれぞれ上側の一対の押棒７−１相互間と下側の一対の押棒７−２相互間に架設されている。これにより、押棒７は常に互いに近づく方向に引き寄せられている。すなわち、人体Ｍが横たわったときに、各々の押棒７が、人体Ｍの骨盤部をベルト状ゴム９を引っ張り力により押圧するものである。押棒７の長さも人体Ｍの大小を問わず確実に押圧することのできる長さに設定されている。なお、前記付勢手段は、ベルト状ゴム９に限られず、適切に押棒７に付勢力を付加することのできるものであれば良く、バネなどを取り付けることも可能である。
【００２８】
なお、本実施の形態では、人体Ｍに対してやや下方から押棒７が押すこことなるので、寝台１の矯正対象者が横たわる中央部分は底上げされた上段部２２が形成されている。
【００２９】
上記構成の実施の形態に係る骨盤矯正装置の実際の使用動作について図１及び図２を参照しつつ説明する。まず、上下対になっている押棒７を手で摘んでベルト状ゴム９の弾発力に抗して外側に引っ張る。この状態で、人体Ｍが、その腰部を押棒取付支柱４間に位置させて横たわる。うつ伏せか仰向けかは適宜選択される。そして、押棒７の押圧部材８が、人体Ｍの骨盤部に的確に押圧力を伝えるべく腰部の左右の所望の押圧部位に当たるように押棒７の高さ位置が調節され、その位置でネジ１１によって固定される。
【００３０】
次に、押棒７より手を離すと、押棒７は管状体２０内をベルト状ゴム９の収縮力により摺動し、押圧部材８が、所望の上下と左右の押圧部位に押圧力を加える。その押圧力の付加方向は、上述した傾斜角度θであり、この押圧により、両側の腸骨から中央に位置する仙骨に適切な角度で押圧力が加えられる。
【００３１】
図５は、図８に示した骨盤と仙骨の部分の概略Ａ−Ａ断面図であり、図示の状態は上側が背中側であり、人体Ｍがうつ伏せの状態である。上記一対の押棒７で上下と左右から矢印Ｕ−１、２とＤ−１、２のように、Ｄ−１、２の押力を加えつつ腸骨２００ｂの部分を所定の傾斜角度で押圧することにより骨盤２００と仙骨１００の関節部分である耳状面３００を的確な状態にすることができるものである。すなわち、このバランスをとった押圧により仙骨１００および腸骨２００ｂ間の耳状面３００の緩みが的確に解消され、骨盤２００の矯正が行われる。
【００３２】
この様に、骨盤１００に上側と下側の両側から同時に押圧を加えることは、耳状面３００の状態を的確な状態とするために良好な作用を奏する。すなわち、耳状面３００の緩みなどをバランス良く偏りなく矯正することができる。
【００３３】
図７は、押棒７の先端に設けられる押圧部材８の他の構成例を示している。図６に示した人体Ｍが仰向けで寝ている状態で骨盤１００の寛骨２００ａの端部をより的確に押圧することができるように一方の縁部に小突起８ａを形成したものである。この小突起８ａが寛骨２００ａの縁部に引っかかるようにして押圧することでより的確に力を加えることができるものである。
【００３４】
以上のように、本実施の形態によれば、人間の手のみによる押圧に比べ、押棒７の管状体２０内の摺動移動による安定した経路での押圧及び、ベルト状ゴム９の引っ張り力による的確かつ十分な押圧力による押し動作を行うことができ、骨盤の矯正がより的確なものとなる。
【００３５】
本実施の形態では、上述のように押棒７は、管状体２０に沿って移動するので、その傾斜角θは、管状体２０の傾斜角に依存している。ただし、前記傾斜角θは、人体Ｍの体格の大小や体型に適合させ、さらには人体Ｍが寝台１上で俯せあるいは仰向けで横になるかに応じて、変更調整可能とするのが好適である。この場合、種々の傾斜角θに設定された管状体２０を備えたブロックを準備しておくことによって、ブロック１０の鋼管により、角度調整が可能である。また、人体Ｍが仰向け状態とうつ伏せ状態の対応は、押棒取付支柱４の上下の設置状態を変更することで対応することも可能である。
【００３６】
次に、押圧力についても人体Ｍによって変更する必要が生じる。すなわち、運動による筋肉量の差や男女差により、押圧力の調整が必要である。本実施の形態では、ベルト状ゴム９の取付本数を変更することやベルト状ゴム９の断面積の異なるものへの変更により、調節することができる。
【００３７】
また付勢手段としてバネを用いる場合も同様に本数変更や弾発力の異なるバネへの変更により調節することが可能である。さらに、付勢手段として、減圧弁付きの油圧シリンダを利用することもできる。
【００３８】
また、押棒７の高さ位置は、押棒取付支柱４のスリット４ｃの部分の外側面にプレート１２を設置し、これとブロック１０とをネジ１１によって固定する構成としたので、ネジ１１のひねり動作という簡単な動作で高さ調節を容易に行うことができる。
【図面の簡単な説明】
【００３９】
【図１】本発明に係る骨盤矯正装置の実施の形態の斜視図である。
【図２】図１の後面図である。
【図３】図１に示す支柱の正面図である。
【図４】図１に示す支柱の縦断面図である。
【図５】図８のＡ−Ａ断面図である。
【図６】人体が仰向けになっている場合の骨盤と仙骨の配置を示す説明図である。
【図７】押棒の一端部に設けられる押圧部材の他の実施の形態を示す斜視図である。
【図８】骨盤と仙骨の構成関係を示す概略説明図である。
【符号の説明】
【００４０】
１  寝台
４  支柱
４ｃ、４ｄ  スリット
７  押棒
８  押圧部材
８ａ  小突起
９  ベルト状ゴム
１０  ブロック
１１  ネジ
１２  プレート
２０  管状体
Ｍ  人体
【図１】
2005185730.tif 000003
【図２】
2005185730.tif 000004
【図３】
2005185730.tif 000005
【図４】
2005185730.tif 000006
【図５】
2005185730.tif 000007
【図６】
2005185730.tif 000008
【図７】
2005185730.tif 000009
【図８】
2005185730.tif 000010